(57)【要約】【課題】  機器取付パネルを簡易な形状にして容易に製造可能とし、更に汎用性も持たせることができる住宅用分電盤を提供する。【解決手段】  主幹ブレーカ２を組み付けるパネル５と、分岐ブレーカ３を組み付けるパネル６とが独立した平坦な板体であり、分電盤箱体１に形成された主幹ブレーカ用パネル取付部１２と、分岐ブレーカ用パネル取付部１３とは前方への突出量が異なり、主幹ブレーカ２と分岐ブレーカ３との前方への突出量が異なっても、相対的な取付部１２，１３の突出量の差により組み付けられた主幹ブレーカ２と分岐ブレーカ３との前面が略面一に配置される。【選択図】  図２
2015139351.tif 000002
【特許請求の範囲】
【請求項１】
金属製パネルを介して機器が分電盤箱体に組み付けられる住宅用分電盤において、
主幹ブレーカを組み付けるパネルと、分岐ブレーカを組み付けるパネルとが異なるパネルであって、双方のパネルとも平坦な板体であることを特徴とする住宅用分電盤。
【請求項２】
前記分電盤箱体に形成された主幹ブレーカ用パネル取付部と、分岐ブレーカ用パネル取付部とは、組み付けられる主幹ブレーカと分岐ブレーカとの前方への突出量の差異に合わせて段違いに配置され、
主幹ブレーカと分岐ブレーカとの機器同士の前方への突出量の差が前記パネル取付部の突出量の差により吸収され、組み付けられた主幹ブレーカと分岐ブレーカとの前面位置が略一致することを特徴とする請求項１記載の住宅用分電盤。
【請求項３】
双方の前記パネル取付部は、前記パネルの一端を挿入して保持する保持手段と、前記パネルの他端を固定手段により固定するための固定部とを有することを特徴とする請求項２記載の住宅用分電盤。
【発明の詳細な説明】
【技術分野】
【０００１】
本発明は、住宅内に設置される住宅用分電盤に関し、詳しくは機器を分電盤箱体に組み付ける際に使用する機器取付パネルに関する。
【背景技術】
【０００２】
住宅用分電盤は、主幹ブレーカや分岐ブレーカ等の機器を分電盤箱体に組み付ける場合、機器取付パネルを介して分電盤箱体内に取り付ける形態が普及している。
このとき使用される機器取付パネルは、一様に平坦な金属板が使用されることはなく、装着する機器に応じた段部が設けられ、分電盤箱体と連結する連結部と機器取付部との間に段差が設けられている。これは、主幹ブレーカや分岐ブレーカ等の機器毎の前方への突出量が異なるためで、それぞれの機器の前面の位置を合わせるためと、パネルの強度アップのために実施されている。
尚、前面位置を合わせる目的は、機器毎の操作ハンドルの位置を揃えて操作し易くする点と、以下に示すように機器周囲の充電部や配線空間を保護板で覆い易くする点にある。
【０００３】
例えば特許文献１では、主幹ブレーカに比べて分岐ブレーカが小さく前方への突出量が小さいため、１枚のパネル上に全ての機器を組み付けるよう構成した機器取付パネルは、主幹ブレーカ取付エリアと分岐ブレーカを組み付けるエリアとの間に段差を設けて分岐ブレーカ取付エリアを前方へ盛り上げて突出させることで段差を無くし、双方の周囲をカバーで覆いやすくしている。
【先行技術文献】
【特許文献】
【０００４】
【特許文献１】特開平１０−１０８３１８号公報
【発明の概要】
【発明が解決しようとする課題】
【０００５】
しかしながら、上記従来の機器取付パネルは、組み付ける機器に合わせて段差を設けて機器を取り付けるエリア毎に前方への突出量を変更しているため、機器取付パネルの形状が複雑であり、複数の製造工程を必要とした。
また、組み付ける機器の構成が同一の分電盤であっても、例えば分岐ブレーカの機種が異なることで機器の寸法（前方への突出量）が異なる場合は、取付パネルも変更しなければ前面位置を合わせることができなかったため、機器取付パネルに汎用性がなかった。
特に、分電盤箱体の前面に分電盤を閉塞するカバーを設けず、機器の操作ハンドルを露出させる保護板で前面を覆うだけの構成の住宅用分電盤の場合、主幹ブレーカ、分岐ブレーカ等の操作ハンドルを保護板の窓孔から可不可無く露出させる必要があるため、組み付ける機種に応じて専用の機器取付パネルが必要であった。
【０００６】
そこで、本発明はこのような問題点に鑑み、機器取付パネルを簡易な形状にして容易に製造可能とし、更に汎用性も持たせることができる住宅用分電盤を提供することを目的としている。
【課題を解決するための手段】
【０００７】
上記課題を解決する為に、請求項１の発明は、金属製パネルを介して機器が分電盤箱体に組み付けられる住宅用分電盤において、主幹ブレーカを組み付けるパネルと、分岐ブレーカを組み付けるパネルとが異なるパネルであって、双方のパネルとも平坦な板体であることを特徴とする。
この構成によれば、機器を組み付けるパネルは平坦な板体であるため、鋼板から１回の打ち抜きで作成でき、簡易に作成できる。そして、主幹ブレーカを組み付けるパネルと分岐ブレーカを組み付けるパネルは独立しているため、主幹ブレーカと分岐ブレーカの前面位置を合わせるために、双方のパネルの位置が前後方向で異なっても、パネルに機器に合わせた段差加工を行う必要がなく汎用性を有する。
【０００８】
請求項２の発明は、請求項１に記載の構成において、分電盤箱体に形成された主幹ブレーカ用パネル取付部と、分岐ブレーカ用パネル取付部とは、組み付けられる主幹ブレーカと分岐ブレーカとの前方への突出量の差異に合わせて段違いに配置され、主幹ブレーカと分岐ブレーカとの機器同士の前方への突出量の差が取付部の突出量の差により吸収され、組み付けられた主幹ブレーカと分岐ブレーカとの前面位置が略一致することを特徴とする。
この構成によれば、主幹ブレーカ用パネル取付部と分岐ブレーカ用パネル取付部とで前方への突出量に差を設けて、主幹ブレーカと分岐ブレーカの間の段差を吸収するため、パネルと分電盤箱体との間にスペーサ等を介在させる必要がない。
【０００９】
請求項３の発明は、請求項２に記載の構成において、双方のパネル取付部は、パネルの一端を挿入して保持する保持手段と、パネルの他端を固定手段により固定するための固定部とを有することを特徴とする。
この構成によれば、パネルは一端が保持手段に保持されるため、少なくとも他端を固定手段により固定すれば良く、簡易な操作で固定できる。
【発明の効果】
【００１０】
本発明によれば、機器を取り付けるためのパネルは平坦な板体であるため、鋼板から１回の打ち抜きで作成でき、簡易に作成できる。そして、主幹ブレーカを組み付けるパネルと分岐ブレーカを組み付けるパネルは独立しているため、主幹ブレーカと分岐ブレーカの前面位置を合わせるために、双方のパネルの位置が前後方向で異なっても、パネルに機器に合わせた段差加工を行う必要がなく汎用性を有する。
【図面の簡単な説明】
【００１１】
【図１】本発明に係る住宅用分電盤の一例を示す外観図である。
【図２】図１の分電盤箱体から機器取付パネルを分離した説明図である。
【図３】機器取付パネルを装着した分電盤箱体の本体斜視図である。
【図４】図３の分電盤箱体に機器を組み付けた斜視図である。
【発明を実施するための形態】
【００１２】
以下、本発明を具体化した実施の形態を、図面を参照して詳細に説明する。図１は本発明に係る住宅用分電盤の一例を示す斜視図である。この住宅用分電盤は、分電盤箱体１が機器が組み付けられて壁面に固定される本体１ａと、本体１ａの開放された前面を閉塞する保護板１ｂとで構成され、保護板１ｂには主幹ブレーカ２及び分岐ブレーカ３のそれぞれの操作ハンドル２ａ、３ａを露出させる窓孔１１（１１ａ，１１ｂ）が設けられている。
【００１３】
図２は分電盤箱体内に機器を収納する際に使用されるパネルを示し、分電盤箱体１とパネルとを分離した状態を示している。図２において、５は主幹ブレーカ２を取り付けるためのパネル（主幹ブレーカ用パネル）、６は分岐ブレーカ３を取り付けるためのパネル（分岐ブレーカ用パネル）である。
主幹ブレーカ用パネル５及び分岐ブレーカ用パネル６は、鋼板を打ち抜いて形成された平坦な板体であり、機器がこのパネルに組み付けられた後、パネルが本体１ａに取り付けられる。尚、取り付ける順番は、逆でも良い。即ち、パネル５，６を取り付けた後に機器をパネル５，６に組み付けても良い。
【００１４】
パネル５，６は、一方の側部に本体１ａに係止される係止用舌片５ａ，６ａが突設され、他方にはネジ止めするための透孔５ｂ，６ｂが設けられている。
【００１５】
分電盤箱体１の本体１ａは、本体１ａの内底部である背板１０の所定部位に、主幹ブレーカ用パネル取付部１２、分岐ブレーカ用パネル取付部１３が形成されている。具体的に、左側に主幹ブレーカ用パネル取付部１２、右側に分岐ブレーカ用パネル取付部１３が形成され、主幹ブレーカ用パネル取付部１２は、側壁１２ｃを有して背板１０から前方に大きく突出し、全体が台状に形成されている。
一方、分岐ブレーカ用パネル取付部１３は、強度アップのための枠１３ｃが周設され僅かに突出して形成されている。この主幹ブレーカ用パネル取付部１２の分岐ブレーカ用パネル取付部１３に対する突出量は、後述する寸法差で設定されている。
【００１６】
双方のパネル取付部１２，１３には、パネル５，６の係止用舌片５ａ，６ａを挿入して保持する保持枠１２ａ，１３ａが設けられ、透孔５ａ，６ａに対応する部位には固定部としてのネジ孔１２ｂ，１３ｂが設けられている。尚、１４は配線を入出させるための開口部である。
【００１７】
図３はパネル５，６を分電盤箱体１に取り付けた状態を示している。図３に示すように、主幹ブレーカ用パネル５は一端が本体１ａの保持枠１２ａに収容されて保持され、他端は固定手段としてのネジ（図示せず）によりネジ止めされて主幹ブレーカ用パネル取付部１２に固定される。分岐ブレーカ用パネル６は、一端が本体１ａの保持枠２ａに収容されて保持され、他端はネジ止め（図示せず）されて分岐ブレーカ用パネル取付部１３に固定される。
【００１８】
図４はパネル５，６に機器を組み付けた状態を示している。尚、図２，図３に示す７は充電部を保護する保護壁であるが、図４では省略してある。また、１５は主幹ブレーカ２と分岐ブレーカ３とを電気的に接続する銅バーであり、主幹ブレーカ２への引き込み線や分岐ブレーカ３の負荷配線等は省略してある。
主幹ブレーカ用パネル５に組み付けられた主幹ブレーカ２と、分岐ブレーカ用パネル６に組み付けられた分岐ブレーカ３とは隣接して設置され、複数の分岐ブレーカ３，３・・は密着して横方向に列設される。
尚、この実施形態で組み付けられている分岐ブレーカ３は、所謂薄型ブレーカと称されるもので幅が約１０ｍｍであり、例えば特開２００８−４７３６２号公報に開示されている分岐ブレーカである。
【００１９】
ここで使用されている主幹ブレーカ２の高さ（分電盤箱体に組み付けた際の前方への突出量）は、分岐ブレーカ３の高さより小さいが、この高さの差に合わせて主幹ブレーカ用パネル取付部１２を分岐ブレーカ用パネル取付部１３より前方へ突出させて機器間の高さの差を吸収するよう形成されている。その結果、図４に示すように、組み付けられた分岐ブレーカ３の前面３ｂと主幹ブレーカ２の前面２ｂが略面一に配置される。
【００２０】
このように、主幹ブレーカ２及び分岐ブレーカ３を組み付けるパネルは平坦な板体であるため、鋼板から１回の打ち抜きで作成でき、簡易に作成できる。そして、主幹ブレーカ２を組み付けるパネル５と分岐ブレーカ３を組み付けるパネル６は独立しているため、主幹ブレーカ２と分岐ブレーカ３の前面位置を合わせるために、双方のパネル５，６の位置が前後方向で異なっても、パネル５，６に機器に合わせた段差加工を行う必要がなく汎用性を有する。
また、主幹ブレーカ用パネル取付部１２と分岐ブレーカ用パネル取付部１３とで前方への突出量に差を設けて、主幹ブレーカ２と分岐ブレーカ３の間の段差を吸収するため、パネル５，６と分電盤箱体１の本体１ａとの間にスペーサ等を介在させる必要がない。こうして、分電盤箱体１の形状により機器間の段差を吸収させる構成は製造工数が増える訳ではないため、パネルに段差を設ける場合に比べて安価に対応できる。
そして、パネル５，６は一端が保持枠１２ａ、１３ａに保持されるため、少なくとも他端を固定手段により固定すれば良く、簡易な操作で固定できる。
【００２１】
尚、上記実施形態の住宅用分電盤は、前面に操作ハンドル２ａ，３ａを露出させる保護板１ｂを設けて前面を閉塞するカバーを持たないが、カバーにより前面を完全に閉塞する形態であっても良い。
また、電流制限器等の他の機器を組み付けるスペースのない分電盤箱体で説明したが、電流制限器等を組み付け可能な大型の分電盤であっても上記構成を適用できるものである。
【符号の説明】
【００２２】
１・・分電盤箱体、１ａ・・本体、１ｂ・・保護板、２・・主幹ブレーカ、２ａ・・操作ハンドル、２ｂ・・主幹ブレーカ前面、３・・分岐ブレーカ、３ａ・・操作ハンドル、３ｂ・・分岐ブレーカ前面、５・・主幹ブレーカ用パネル（パネル）、５ａ・・係止用舌片、５ｂ・・透孔、６・・分岐ブレーカ用パネル（パネル）、６ａ・・係止用舌片、６ｂ・・透孔、１２・・主幹ブレーカ用パネル取付部、１２ａ・・保持枠（保持手段）、１３・・分岐ブレーカ用パネル取付部、１３ａ・・保持枠（保持手段）。
【図１】
2015139351.tif 000003
【図２】
2015139351.tif 000004
【図３】
2015139351.tif 000005
【図４】
2015139351.tif 000006